(57)【要約】【課題】円筒を直径の変化で配線に圧接された状態で制止させて結束効果を得ることでプロテクターの準備種類の大幅な低減と、プロテクターの移動を防止するためのテープ巻きを省くことで作業性の向上を図ること。【解決手段】硬質合成樹脂製の一対の半円筒１と半円筒２が可撓部３で開閉可能に連結されて、一方の半円筒１は、先端から中間部までを外片ａと内片ｂの間に溝４を形成するため二股構造とされ、他方の半円筒２は先端から中間部までを上記溝４へ挿入する挿入部５とされて、該挿入部５と上記溝４との対応面には、挿入部５の溝４への挿入を許容して、溝４からの抜け出しは制止する逆止爪６と逆止爪７が設けられていることを特徴とする。【選択図】図１
2012135181.tif 000002
【特許請求の範囲】
【請求項１】
硬質合成樹脂製の一対の半円筒が可撓部で開閉可能に連結されて、
一方の半円筒は、先端から中間部までを外片と内片の間に溝を形成するため二股構造とされ、
他方の半円筒は先端から中間部までを上記溝へ挿入する挿入部とされて、
この挿入部と上記溝との対応面には、挿入部の溝への挿入を許容して、溝からの抜け出しは阻止する逆止爪が設けられていることを特徴とする把持径可変型の配線プロテクター。
【請求項２】
上記硬質合成樹脂製の一対の半円筒は、その内面に溝への挿入部を除いて、軟質な複数の配線抑えが離隔するように付設されていることを特徴とする請求項１に記載の把持径可変型の配線プロテクター。
【請求項３】
上記一対の半円筒を連結する可撓部が、軟質合成樹脂か硬質合成樹脂の肉薄化で形成されていることを特徴とする請求項１又は請求項２に記載の把持径可変型の配線プロテクター。
【請求項４】
上記一方の半円筒の二股構造部に形成された溝の奥端に、ばね作用部が形成されていることを特徴とする請求項１〜請求項３に記載の把持径可変型の配線プロテクター。
【発明の詳細な説明】
【技術分野】
【０００１】
本発明は、配線を収納して保護させるプロテクターで、円筒を開いて配線を収容し、配線の把持が行われるまで円筒を絞って、手を離すと逆止爪の係合によってこの状態が保持される把持径可変型の配線プロテクターに関する。
【背景技術】
【０００２】
従来、自動車の各種の配線を包容させて外力や熱から遮断することで保護させる配線プロテクターとして、図７に示す通り、硬質合成樹脂製の円筒（１）の周面の一部に長さ方向のスリット（２）を連続して入れ、断面形状を図８の通り上記スリット（２）の一方の片（３）が他方の片（４）の内側へ入り込むにように変形させることで、平仮名の「の」字状をなすように形成し、上記スリット（２）を図９に示す通りに配線（５）が通るように拡げて、円筒（１）の内部へ配線（５）を収め、円筒（１）を弾性で閉じさせて内部に配線（５）を収納させるものが、３０数年前に開発されて「のの字」と称され、現在でも多くの自動車に使用されている状態であるが、この配線プロテクターについて説明する文献等は見当らない。
【０００３】
上記の通り「のの字」と称される配線プロテクターは、円筒（１）を直径が減少するように変化させることはできないから、その内部へ収納した組配線、即ち、複数の配線（５）の組み合わせをばらけや変形等を生じないように保持させ得る範囲が狭くて、種々の線径の配線（５）を様々な数で組み合わせた多様な自動車用配線の総てに対応させるためには、１３種類ものプロテクターを用意しなければならないし、また、円筒（１）の内部へ配線（５）を収容するには、円筒（１）を材料の弾性に抗してこじ開け、内部へ配線（５）を入れ込まなければならな。更に、配線（５）の直径が円筒（１）よりも細いと円筒（１）による配線（５）の把持が行なわれないため、配線（５）対して円筒（１）が位置ずれしないように、円筒（１）の両端へ配線（５）へ跨らせてテープ巻きをしなければならない等の問題点があった。
【発明の概要】
【発明が解決しようとする課題】
【０００４】
本発明は、従来の配線プロテクターが、異種径配線への共用範囲が狭いため、配線プロテクターの準備種類が多数となって、円筒への配線の収容が容易でなく、また、配線の結束効果が得られないため、プロテクターの両端にテープを巻いて位置ずれを防止する必要もある点を、配線プロテクターの準備種類が大幅に削減されて、円筒への配線の収容も容易化されて、プロテクターのテープ巻きによる位置ずれの防止も不要となるようにすることをその課題とする。
【課題を解決するための手段】
【０００５】
前記課題を解決するため、請求項１に係る発明は、硬質合成樹脂製の一対の半円筒が可撓部で開閉可能に連結されて、一方の半円筒は、先端から中間部までを外片と内片の間に溝を形成するため二股構造とされ、他方の半円筒は先端から中間部までを上記溝へ挿入する挿入部とされて、該挿入部と上記溝との外側の接触部には、挿入部の溝への挿入は許容して、溝からの抜け出しは制止する逆止爪を設けられていることを特徴とする。
【０００６】
請求項２に係る発明は、上記硬質合成樹脂製の一対の半円筒は、その内面に溝への挿入部を除いて、軟質な複数の配線抑えが離隔するように付設されていることを特徴とする。
【０００７】
請求項３に係る発明は、上記一対の半円筒を連結する可撓部が軟質合成樹脂か、硬質合成樹脂の肉薄化で形成されていることを特徴とする。
【０００８】
請求項４に係る発明は、上記一方の半円筒の二股構造部に形成された溝の奥端に、ばね作用部が形成されていることを特徴とする。
【発明の効果】
【０００９】
請求項１に係る発明によれば、一対の半円筒の閉じ加減で配線の径に適合する直径の円筒を得て配線を把持させることで結束の効果が得られるから、配線プロテクターを異種径の配線へ共用する範囲が広がって、配線プロテクターの準備種類数を大幅に低減させることができるだけでなく、円筒内への配線の収容も容易化され、かつ、円筒の直径変化で配線の結束効果も得られるから、プロテクターの両端部へずれ止めのテープ巻きをする手数を省くこともできる。
【００１０】
請求項２に係る発明によれば、一対の半円筒を絞って配線を把持させると、円筒の内面に設けられた軟質の配線抑えが容易に変形して配線へ馴染んだり、隣り合う配線の間へ入り込んだりして、配線の動きを抑制するから、円筒内で配線がばらけや変形を生じることなく安定している。
【００１１】
請求項３に係る発明によれば、一対の半円筒を連結する可撓部が軟質合成樹脂で形成されるか、硬質合成樹脂で肉薄に形成されて容易に変形できるから、一対の半円筒を配線を収容するために開いたり、配線を把持させるため閉じて絞ったりする操作を楽に手早く行うことができる。
【００１２】
請求項４の発明によれば、溝の奥端に形成されたばね作用部は、二股構造部の外片と内片に弾性を付与して、挿入部が溝へ円滑に挿入されるようにすると共に、挿入が止まると即座に組をなす逆止爪を係合させて、一対の半円筒で形成された円筒を配線が把持される直径に保持させて結束効果を得ることができる。
【図面の簡単な説明】
【００１３】
【図１】本発明に係る把持径可変型の配線プロテクターの正面図
【図２】（ａ）（ｂ）は、同上の一方の片と他方の片にそれぞれ設られた逆止爪の形状を示す一部分の拡大図
【図３】同上の一部分を示す斜視図
【図４】同上の一対の半円筒を開かせて内部へ配線を収容した説明図
【図５】同上の内部へ配線が収容された一対の半円筒を閉じて、一方の半円筒が有する溝へ他方の半円筒の挿入部を挿入しようとする説明図。
【図６】上記溝へ挿入部を挿入して、一対の半円筒で円筒を形成させ、配線を把持させると、溝の逆止爪と挿入部の逆止爪が係合して形成された円筒の直径を保持した状態の説明図。
【図７】（ａ）（ｂ）（ｃ）は、一方の半円筒の溝へ他方の半円筒の挿入部を挿入する寸法を変化させることで、直径が異なる４種類の円筒を形成させた比較図。
【図８】「のの字」と俗称される配線プロテクターを形成する円筒を示す一部分の斜視図。
【図９】同上の円筒の一方の端部を他方の端部の内側へ巻き込んで「の」字形を形成させた一部分の斜視図
【図１０】同上の円筒を開口が開くよう変形させて内部へ配線を収容した説明図
【図１１】内部へ配線を収容した円筒の開口を閉じて、配線を包容させた説明図
【発明を実施するための形態】
【００１４】
図１、図３、図４等において符号Ａは、本発明に係る把持径可変型の配線プロテクターを示す。この配線プロテクターＡは、硬質合成樹脂製の一対の半円筒1と半円筒２が可撓部３で開閉可能に連結されて、一方の半円筒１は、先端から中間部までを外片ａと内片ｂの間に溝４を形成するため二股構造とされ、他方の半円筒２は先端から中間部までを上記溝４へ挿入する挿入部５とされて、この挿入部５と上記溝４の外側に位置する外片ａとの対応面には、挿入部５を溝４へ挿入することは容易にできるが、溝４から挿入部５を抜け出すことは至難となるようにするため、図２（ａ）に拡大図を示す通り、緩やかな上り勾配の斜面ｃと、この斜面ｃの先端から後退角で落ち込む段落面ｄとで縦挽の鋸歯形をなすように形成された逆止爪６、逆止爪７を対称的に列設するか、又は、図２（ｂ）に拡大図を示す通り薄片ｅが緩やかな上り勾配の斜面ａで立ち上がった後、先端から後退角で落ち込む段落面ｂをなすように折り曲げられた逆止爪６、逆止爪７を対称形をなすように列設する構造としてある。
【００１５】
上記配線プロテクターＡを構成させる一対の半円体１と半円体２は、ＰＶＣ、ＰＰ、ＰＥ、ナイロン等の硬質合成樹脂を材料とし、半円筒１と半円筒２を連結させる可撓部３及び後記する配線抑えは、上記硬質樹脂と同系統の軟質合成樹脂を材料として押出成形することで形成されて、連続する成形品を切り分けて希望するサイズの配線プロテクターＡを得るが、上記の場合、軟質合成樹脂で成形した一対の半円体１と半円体２を連結する可撓部３は、図３〜図６に示す通り一対の半円体１及び半円体２と同じ硬質合成樹脂を用いて肉薄に形成することで可撓性を得るようにしてもよい。
【００１６】
上記半円筒１の二股構造をなす外片ａと内片ｂは、図１に示す通り先端が外片ａよりも内片ｂの方が挿入方向へ出張るように形成して、外片ａの先端は上方へ反らせ、内片ｂの先端は下方へ反らせることで、溝４の開口２部ｆを広がらせて挿入部５を溝４へ素早く確実に挿入することができるようにする。
【００１７】
又、上記溝４の奥端には、該溝４の巾よりも直径が大きい円形をなすようにばね作用部８が設られて、このばね作用部８は溝４を構成する二股部の外片ａと内片ｂに弾性を付与し、挿入部５の溝４へのスムーズな挿入と、挿入を止めた後、逆止爪６と逆止爪７が係合して、挿入部５を停止位置に保持する作用が確実に行なわれるようにする。
【００１８】
又、上記一対の半円筒１と半円筒２は、その内面に半円筒２の挿入部５を除いて、複数の軟質な配線抑え９を離隔させて付設されていて、この配線抑え９は、図１に実線で示す通り蒲鉾形をなす中空の突条ｇか、図１に鎖線で示す通りに湾曲するか、又は屈曲する等の帯状体ｈを用いるが、これらの形状に限定されるものではなく、図５に示す通り一対の半円筒１と半円筒２で円筒１０が構成されて、内部に収容した配線１１を把持したとき、配線１１へ接触するとこれに馴染むように変形するか、隣り合う配線１１の間へ入り込んで配線１１の動きを止めることができるものであれば、他の形状であっても差し支えない。
【００１９】
上記構成の把持径可変型の配線プロテクターＡは、一対の半円筒１と半円筒２を図４に示す通り広げて、両半円筒１と半円筒２の間へ配線１１を収容し、両方の半円筒１と半円筒２を図５に示す通りに閉じれば、半円筒２の挿入部５は、半円筒１にこれを二股部構造とすることで形成された溝４へ、内片ｂの下方へ反る先端の誘導と、これに続く外片ａの上方へ反る先端の誘導で、確実に溝４内へ導入されて溝４内を進む。このときは、溝４側に設けられた逆止爪７と、挿入部５側に設けられた逆止爪６とは、両者の斜面ｃ、斜面ｃ同士が係合するため、挿入部５の挿入を支障なく行なわせる。しかし、挿入部５の挿入で半円筒１と半円筒２が円筒１０を構成して、図６に示す通り内面で配線１１を把持して結束の効果が得られるようになったとき、挿入部５の溝４への挿入を止めれば、逆止爪６と逆止爪７の段落面ｄ、段落面ｄ同士が係合して、挿入部５の戻り（抜け出し）を阻止して円筒１０の直径保持を行なうため、配線プロテクターＡの両端から配線に跨ってずれ止めテープを巻く作業を省いても、配線１１を設置位置に保持させることができる。
【００２０】
又、上記構成の配線プロテクターＡは、一方の半円筒１の二股構造部に設けられた溝４へ、他方の半円筒２に設けられた挿入部５を、図７（ａ）に示す通り浅く挿入すると、両半円筒１と半円筒２で最大直径の円筒１０が構成され、図７（ｄ）に示す通り挿入部５の先端が溝４の奥端へ達するまで深く挿入すると、両半円筒１と半円筒２で最小径の円筒１０が構成され、更に、挿入部５を挿入する深さを更に図７（ｂ）、図７（ｃ）に示す通り、最大、最小の中間の２種類の寸法に変更すると、両半円筒１と半円筒２で構成される円筒１０の直径を２種類の中間寸法に変更することができて、１種類の配線プロテクターＡによって４種類の異径配線を確実に把持させ、配線１１のばらけや変形を生じさせない結線効果を得ることができるので、従来の「のの字」と称される配線プロテクター（Ａ）では、１３種類を準備しなければならなかった場合でも、１／３程度の配線プロテクターＡの準備数で充分に対処することができる。
【００２１】
なお、この配線プロテクターＡは、一対の半円筒１と半円筒２に跨って内面に複数の軟質な線抑え９を離隔させて設けるから、両半円筒１と半円筒２を閉じて円筒１０とし、その内面で配線１１を把持させたとき、上記配線抑え９が変形し易い軟質のため配線１１へ馴染むように接触するか、隣り合う配線１１、配線１１の間へ食い込む等して配線１１の移動を抑えるから、配線１１をばらけや変形等を生じないように円筒１０内に安定させる効果が高められる。
【産業上の利用可能性】
【００２２】
本発明は、少ない種類の配線プロテクターで多種類の配線を結束効果が得られるように把持させることで、自動車の配線の合理的、経済的な保護処理を実現させることが可能となる。
【符号の説明】
【００２３】
Ａ  配線プロテクター
１  一方の半円筒
２  他方の半円筒
３  可撓部
４  溝
５  挿入部
６と７  逆止爪
【図１】
2012135181.tif 000003
【図２】
2012135181.tif 000004
【図３】
2012135181.tif 000005
【図４】
2012135181.tif 000006
【図５】
2012135181.tif 000007
【図６】
2012135181.tif 000008
【図７】
2012135181.tif 000009
【図８】
2012135181.tif 000010
【図９】
2012135181.tif 000011
【図１０】
2012135181.tif 000012
【図１１】
2012135181.tif 000013